(57)【要約】【課題】分解組立に係る作業性や安全性を向上させることのできる配管接続用治具およびサニタリー配管を提供する。【解決手段】配管同士を接続するために用いる配管接続用の治具であって、一方の配管１２の外周に突設され、配管１２の接続端側１２ａに向けて曲げられたその先端側１６ａにこの配管１２の軸心Ｃの方向の直交方向Ｘに延在する爪状のフック部３０を有する係合部材１６と、他方の配管１４の外周に突設され、この配管１４の軸心Ｃの方向の直交方向Ｘに延在し、フック部３０が引っ掛け可能なアーム部３２を有する被係合部材１８とを備え、配管同士を接続する際に、各配管の軸心方向が異なる状態でフック部３０をアーム部３２に引っ掛け、この状態で一方の配管１２と他方の配管１４の少なくとも一方をアーム部３２周りに回転した場合に各配管の軸心方向が一致するように構成する。【選択図】図１
2014070691.tif 000002
【特許請求の範囲】
【請求項１】
配管同士を接続するために用いる配管接続用の治具であって、
一方の配管の外周に突設され、前記配管の接続端側に向けて曲げられたその先端側にこの配管の軸心方向の直交方向に延在する爪状のフック部を有する係合部材と、
他方の配管の外周に突設され、この配管の軸心方向の直交方向に延在し、前記フック部が引っ掛け可能なアーム部を有する被係合部材とを備え、
前記配管同士を接続する際に、前記各配管の軸心方向が異なる状態で前記フック部を前記アーム部に引っ掛け、この状態で前記一方の配管と前記他方の配管の少なくとも一方を前記アーム部周りに回転した場合に前記各配管の軸心方向が一致するように構成したことを特徴とする配管接続用治具。
【請求項２】
前記係合部材と前記被係合部材の少なくとも一方を、前記配管の外周に対して着脱自在に構成したことを特徴とする請求項１に記載の配管接続用治具。
【請求項３】
請求項１または２に記載の配管接続用治具を備えたことを特徴とするサニタリー配管。
【発明の詳細な説明】
【技術分野】
【０００１】
本発明は、配管同士を接続するのに用いられる配管接続用治具、および、この配管接続用治具を備えたサニタリー配管に関するものである。
【背景技術】
【０００２】
従来、医薬品や食品の製造工場の生産設備において装置同士を接続する配管として、サニタリー配管が用いられている（例えば、特許文献１〜９を参照）。
【０００３】
このサニタリー配管は、必要に応じて配管を分解して洗浄あるいは殺菌するため、一般に内面の凹凸を極力なくしたステンレスの配管材で構成され、その接続は配管を溶接したフェルール継手をクランプ部材でクランプして固定することにより行われる。
【０００４】
このようにサニタリー配管は、洗浄のため分解され、製品の生産開始時には再び組み立てて使用されるものであり、場合によっては分解作業や組立作業が頻繁に行われることになる。したがって、その作業性を考慮して配管同士の脱着操作が容易であることも求められる。
【先行技術文献】
【特許文献】
【０００５】
【特許文献１】特開２００９−１１５１６７号公報
【特許文献２】特許第４９２０４８５号公報
【特許文献３】特開２００６−２１４５８３号公報
【特許文献４】特許第３８５１６３７号公報
【特許文献５】特開２００５−０５４９２９号公報
【特許文献６】特開２０００−２１３６８２号公報
【特許文献７】特開２０００−０４６２６２号公報
【特許文献８】特開平９−３０３６１８号公報
【特許文献９】特開平５−１７７５５７号公報
【発明の概要】
【発明が解決しようとする課題】
【０００６】
分解作業や組立作業の際に、サニタリー配管に作業を支援するサポート部材を取り付けられないと、配管の分解／組立の作業に多大な手間が掛かってしまう。作業中にサニタリー配管を構成する部材を落下させてしまうと、作業者の被災や、サニタリー配管自体・周囲の機器・床が破損するなどのリスクが生じる。
【０００７】
図８〜図１０は、従来の一般的なサニタリー配管を接続して組み立てる際の概略手順である。図８に示すように、サニタリー配管を組み立てる際には、まずサニタリー配管１、２のフェルール継手３、４間にガスケット５を挟む（手順１）。次に、図９に示すように、ガスケット５が落ちないように片手でサニタリー配管２を押え付ける（手順２）。そして最後に、図１０に示すように、もう片方の手でクランプ６を締め付けて配管１、２を接続する（手順３）。フェルール継手３、４はクランプ６により連結されて一体化が図られる。
【０００８】
上記の手順３において、片手でクランプ６を締め付ける操作が慣れていない作業者の場合には、作業効率が低下して多大な手間が掛かるとともに、上記リスクがさらに増大することになる。特に、作業者が一人でその操作を行わなければならない場合や、配管のサイズや重量が大きな場合などには、さらに上記リスクが増大するおそれがある。
【０００９】
本発明は、上記に鑑みてなされたものであって、分解組立に係る作業性や安全性を向上させることのできる配管接続用治具およびサニタリー配管を提供することを目的とする。
【課題を解決するための手段】
【００１０】
上記した課題を解決し、目的を達成するために、本発明に係る配管接続用治具は、配管同士を接続するために用いる配管接続用の治具であって、一方の配管の外周に突設され、前記配管の接続端側に向けて曲げられたその先端側にこの配管の軸心方向の直交方向に延在する爪状のフック部を有する係合部材と、他方の配管の外周に突設され、この配管の軸心方向の直交方向に延在し、前記フック部が引っ掛け可能なアーム部を有する被係合部材とを備え、前記配管同士を接続する際に、前記各配管の軸心方向が異なる状態で前記フック部を前記アーム部に引っ掛け、この状態で前記一方の配管と前記他方の配管の少なくとも一方を前記アーム部周りに回転した場合に前記各配管の軸心方向が一致するように構成したことを特徴とする。
【００１１】
また、本発明に係る他の配管接続用治具は、上述した発明において、前記係合部材と前記被係合部材の少なくとも一方を、前記配管の外周に対して着脱自在に構成したことを特徴とする。
【００１２】
また、本発明に係るサニタリー配管は、上述した発明に記載の配管接続用治具を備えたことを特徴とする。
【発明の効果】
【００１３】
本発明の配管接続用治具によれば、配管同士を接続するために用いる配管接続用の治具であって、一方の配管の外周に突設され、前記配管の接続端側に向けて曲げられたその先端側にこの配管の軸心方向の直交方向に延在する爪状のフック部を有する係合部材と、他方の配管の外周に突設され、この配管の軸心方向の直交方向に延在し、前記フック部が引っ掛け可能なアーム部を有する被係合部材とを備え、前記配管同士を接続する際に、前記各配管の軸心方向が異なる状態で前記フック部を前記アーム部に引っ掛け、この状態で前記一方の配管と前記他方の配管の少なくとも一方を前記アーム部周りに回転した場合に前記各配管の軸心方向が一致するように構成している。
【００１４】
このため、配管同士を接続する際に、一方の配管をフック部を介して他方の配管のアーム部に引っ掛けることで、一方の配管の重量が他方の配管に一時的に支持される。したがって、作業者の手が誤って一方の配管から離れたとしても、この配管は他方の配管に支持されるので落下を防止することができる。
【００１５】
また、配管同士を接続して組み立てる際には、フック部をアーム部に引っ掛け、この状態で配管同士の軸心方向が一致するように一方の配管をアーム部周りに回転させるだけで、配管同士を容易に接続することができる。また、配管を分解する際には、一方の配管をアーム部周りに接続端同士が離れる向きに回転させるだけで、他方の配管から一方の配管を容易に外すことができる。
【００１６】
したがって、本発明の配管接続用治具によれば、配管の分解組立に係る作業性や安全性を向上させることができるという効果を奏する。
【図面の簡単な説明】
【００１７】
【図１】図１は、本発明の実施の形態１の配管接続用治具およびサニタリー配管を示す分解斜視図である。
【図２】図２は、本発明の実施の形態１の配管接続用治具およびサニタリー配管の軸心方向断面図である。
【図３】図３は、本発明の実施の形態１の配管接続用治具およびサニタリー配管の軸心方向断面図である。
【図４】図４は、本発明の実施の形態１の配管接続用治具およびサニタリー配管の軸心方向断面図である。
【図５】図５は、本発明の実施の形態１の配管接続用治具およびサニタリー配管の軸心方向断面図である。
【図６】図６は、本発明の実施の形態２の配管接続用治具およびサニタリー配管を示す分解斜視図である。
【図７】図７は、本発明の実施の形態２の配管接続用治具の側面図であり、（ａ）は被係合部材に関する図、（ｂ）は係合部材に関する図である。
【図８】図８は、従来のサニタリー配管の組み立て手順１を示す図である。
【図９】図９は、従来のサニタリー配管の組み立て手順２を示す図である。
【図１０】図１０は、従来のサニタリー配管の組み立て手順３を示す図である。
【発明を実施するための形態】
【００１８】
以下に、本発明に係る配管接続用治具およびサニタリー配管の実施の形態を図面に基づいて詳細に説明する。なお、以下の説明では、頻繁に分解／組立操作を行うサニタリー配管に用いる配管接続用治具を例にとり説明するが、この実施例によりこの発明が限定されるものではない。
【００１９】
［実施の形態１］
まず、本発明の実施の形態１について説明する。
【００２０】
図１に示すように、本実施の形態１に係る配管接続用治具１０は、サニタリー配管１２、１４同士を接続するために用いる配管接続用の治具であって、係合部材１６と被係合部材１８とを備える。ここで、配管１２、１４の接続端側１２ａ、１４ａにはフェルール継手２０、２２が設けてあり、これらの間にガスケット２４が挟まれる。なお、図１には説明の便宜上、フェルール継手２０、２２を連結するクランプは図示していない。
【００２１】
係合部材１６は、配管１２の外周面に溶接にて上方に向けて突設され、接続端側１２ａに向けてＬ字状に屈曲しており、板状の垂直部２６と水平部２８とフック部３０とからなる。フック部３０は、係合部材１６の先端側１６ａにこの配管１２の軸心方向Ｃの直交方向Ｘに延在する爪状の部分であり、Ｘ方向視でコ字状断面となっている。
【００２２】
被係合部材１８は、アーム部３２と、このアーム部３２の両端を支持する支持部３４とを有する。支持部３４は、配管１４の外周面に溶接にて上方に向けて突設された２本の棒状の部分である。アーム部３２は、配管１４の軸心方向Ｃの直交方向Ｘに延在する棒状の部分であり、上記のフック部３０が引っ掛け可能となっている。なお、フック部３０のＸ方向長さはアーム部３２のＸ方向長さよりも短くしてある。
【００２３】
また、上記の構成においては、各配管１２、１４の軸心方向Ｃが異なる状態でフック部３０をアーム部３２に引っ掛け、この状態で一方の配管１２と他方の配管１４の少なくとも一方をアーム部３２周りに回転した場合に各配管１２、１４の軸心方向Ｃが一致するように構成してある。
【００２４】
次に、本実施の形態１に係る配管接続用治具１０を用いたサニタリー配管の接続方法について説明する。図２〜図５は、本実施の形態１に係る配管接続用治具１０を用いたサニタリー配管の概略組み立て手順を示している。
【００２５】
サニタリー配管を組み立てる際には、まず、図２および図３に示すように、フェルール継手２０、２２間にガスケット２４を挟んだ状態で、一方の配管１２を傾けて係合部材１６のフック部３０を他方の配管１４の被係合部材１８のアーム部３２に引っ掛ける。なお、この状態においては、図３に示すように、各配管１２、１４の軸心方向Ｃ１、Ｃ２は互いに異なる方向となっている。
【００２６】
次に、図３および図４に示すように、一方の配管１２をアーム部３２周りに図中で時計方向に回転させると、フェルール継手２０、２２間にガスケット２４が挟みこまれ、各配管１２、１４の軸心方向Ｃは一致するようになる。なお、アーム部３２周りの配管１２の回転は、配管１２の自重により自動的になされるので、作業者の手間はほとんど掛からない。また、ガスケット２４はアーム部３２周りの配管１２の回転力によりフェルール継手２２側に押し付けられるので、配管１２を配管１４に向けて手で押さえ付けなくても落下することはない。
【００２７】
そして最後に、図５に示すように、接続部にクランプ３６を締め付けて外嵌し配管１２、１４同士を接続する。フェルール継手２０、２２はクランプ３６により連結されて一体化が図られる。なお、クランプ３６は、内周面に嵌合凹部を有しており、その両側壁はフェルール継手２０、２２の締付用テーパー面部に嵌着される。
【００２８】
このように、本実施の形態１に係る配管接続用治具１０によれば、配管１２、１４を接続する際に、一方の配管１２をフック部３０を介して他方の配管１４のアーム部３２に引っ掛けることで、一方の配管１２の重量が他方の配管１４に一時的に支持される。したがって、作業者の手が誤って一方の配管１２から離れたとしても、この配管１２は他方の配管１４に支持されるので落下を防止することができる。
【００２９】
また、配管同士を接続して組み立てる際には、フック部３０をアーム部３２に引っ掛け、この状態で配管同士の軸心方向が一致するように一方の配管１２をアーム部３２周りに回転させるだけで、配管同士を容易に接続することができる。また、配管を分解する際には、一方の配管１２をアーム部３２周りに接続端同士が離れる向き（図４中で反時計方向）に回転させるだけで、他方の配管１４から一方の配管１２を容易に外すことができる。
【００３０】
したがって、本実施の形態１の配管接続用治具１０によれば、配管の分解組立に係る作業性や安全性を向上させることができるという効果を奏する。
【００３１】
また、本発明の配管接続用治具によれば、分解組立に係る作業者が一人でも容易かつ安全にサニタリー配管の分解組立操作を行うことができるようになるため、配管施工業者による施工中や試運転中だけでなく、顧客に引き渡し後に分解組立操作を行う場面においても、作業効率性、安全性の向上に寄与することができる。また、本発明の配管接続用治具は、頻繁に分解／組立を行う配管接続部に好適であるが、重量のあるサニタリー配管の接続部に対して特に効果を発揮するものである。
【００３２】
［実施の形態２］
次に、本発明の実施の形態２について説明する。この実施の形態２は、本発明の配管接続用治具をサニタリー配管に対して簡単に脱着可能にしたタイプの一例である。なお、以下においては、上記の実施の形態１で説明した同一符号の部材は上記と同様の構成であるため、詳細な説明は省略する。
【００３３】
図６および図７に示すように、本実施の形態２に係る配管接続用治具１００は、サニタリー配管１２、１４に外嵌自在な半割り状のクランプ３８、４０をさらに備えている。クランプ３８、４０は工具を用いることなく配管１２、１４に容易に着脱可能である。係合部材１６は、垂直部２６を介してクランプ３８の外周上方に溶接固定してあり、被係合部材１８は、支持部３４を介してクランプ４０の外周上方に溶接固定してある。
【００３４】
図７に示すように、クランプ３８、４０はそれぞれ、円弧状に形成された第１および第２クランプ部材４２、４４と、両クランプ部材４２、４４の一端に連結され、両部材４２、４４を回動可能に連結する連結片４６と、クランプ部材４２の他端に設けた取付凸状部４２ａに連結され、クランプ部材４４の取付凸状部４４ａを貫通するボルト４８と、このボルト４８に螺着される蝶ナット５０とから構成されている。なお、クランプ３８、４０の内周面は、例えばウレタンなどの滑りにくい材料で被覆した構造となっており、サニタリー配管１２、１４の外周面に対して密着固定可能となっている。
【００３５】
したがって、本実施の形態２の配管接続用治具１００によれば、上記の実施の形態１の配管接続用治具１０と同様に、配管の分解組立に係る作業性や安全性を向上させることができるという効果を奏する。
【００３６】
特に、本実施の形態２の配管接続用治具１００は、上記の実施の形態１の配管接続用治具１０と比較して配管に対する治具の溶接取付が不要であり、クランプ３８、４０を介して配管１２、１４に対して簡単に脱着可能である。このため、配管に対する治具の溶接取付が認められない場合や、埃が溜まりにくく、洗浄がし易いことが要求されるクリーンルームなどにおけるサニタリー配管の接続用治具として特に好適である。
【００３７】
なお、上記の実施の形態において、係合部材１６と被係合部材１８の両方がクランプ３８、４０を介して配管１２、１４に固定される場合について説明したが、これに限るものではなく、例えば、係合部材１６と被係合部材１８のいずれか一方を、対応する配管の外周に対して着脱自在に構成しても構わない。
【００３８】
以上説明したように、本発明の配管接続用治具によれば、配管同士を接続するために用いる配管接続用の治具であって、一方の配管の外周に突設され、前記配管の接続端側に向けて曲げられたその先端側にこの配管の軸心方向の直交方向に延在する爪状のフック部を有する係合部材と、他方の配管の外周に突設され、この配管の軸心方向の直交方向に延在し、前記フック部が引っ掛け可能なアーム部を有する被係合部材とを備え、前記配管同士を接続する際に、前記各配管の軸心方向が異なる状態で前記フック部を前記アーム部に引っ掛け、この状態で前記一方の配管と前記他方の配管の少なくとも一方を前記アーム部周りに回転した場合に前記各配管の軸心方向が一致するように構成している。
【００３９】
このため、配管同士を接続する際に、一方の配管をフック部を介して他方の配管のアーム部に引っ掛けることで、一方の配管の重量が他方の配管に一時的に支持される。したがって、作業者の手が誤って一方の配管から離れたとしても、この配管は他方の配管に支持されるので落下を防止することができる。
【００４０】
また、配管同士を接続して組み立てる際には、フック部をアーム部に引っ掛け、この状態で配管同士の軸心方向が一致するように一方の配管をアーム部周りに回転させるだけで、配管同士を容易に接続することができる。また、配管を分解する際には、一方の配管をアーム部周りに接続端同士が離れる向きに回転させるだけで、他方の配管から一方の配管を容易に外すことができる。
【００４１】
したがって、本発明の配管接続用治具によれば、配管の分解組立に係る作業性や安全性を向上させることができる。
【産業上の利用可能性】
【００４２】
以上のように、本発明に係る配管接続用治具は、分解組立を頻繁に行う配管に有用であり、特に、医薬品や食品の製造工場の生産設備において装置同士を接続する配管として用いられるサニタリー配管に適している。
【符号の説明】
【００４３】
１０，１００  配管接続用治具
１２，１４  サニタリー配管
１２ａ，１４ａ  接続端側
１６  係合部材
１６ａ  先端側
１８  被係合部材
２０，２２  フェルール継手
２４  ガスケット
２６  垂直部
２８  水平部
３０  フック部
３２  アーム部
３４  支持部
３６，３８，４０  クランプ
４２  第１クランプ部材
４４  第２クランプ部材
４６  連結片
４２ａ，４４ａ  取付凸状部
４８  ボルト
５０  蝶ナット
【図１】
2014070691.tif 000003
【図２】
2014070691.tif 000004
【図３】
2014070691.tif 000005
【図４】
2014070691.tif 000006
【図５】
2014070691.tif 000007
【図６】
2014070691.tif 000008
【図７】
2014070691.tif 000009
【図８】
2014070691.tif 000010
【図９】
2014070691.tif 000011
【図１０】
2014070691.tif 000012